(57)【要約】【課題】      切断刃を円形とし、切断する当接箇所を略９０度の円弧部分とすることにより、中央から切断可能であり、また左右どちらからテープに捻りを加えても簡単に切れ口が出来て切断する事ができる粘着テープカッタを提供する。【解決手段】      テープ保持機構と、切断機構と、支持部材とからなり、切断機構が、ロールから引き出された粘着テープの長手方向と直角に配置された円形切断刃と、円形切断刃の上部にテープの長手方向と直交する方向に回転するテープガイドを兼ねた左右一対の回転保護部材とから構成され、保護部材が２つの径の異なる半球の底面を向かい合わせ底周縁のフランジ部を一定間隔を空けて連結した構造であるとともに、円形切断刃の上部に、接着テープを手で押し下げて切断する際に指先が切断刃に到達しない間隔で配置した構成【選択図】  図１
2005075560.tif 000002
【特許請求の範囲】
【請求項１】
テープカッタ本体にロール状に巻かれた粘着テープを回転自在に保持するテープ保持機構と、ロールから引き出された粘着テープを所要の位置で切断する切断機構と、該切断機構を保持する支持部材とからなる粘着テープカッタにおいて、
切断機構が、ロールから引き出された粘着テープの長手方向と直角に配置された粘着テープを切断する刃先を円形板の周縁に形成した円形切断刃と、該円形切断刃の上部にテープの長手方向と直交する方向に回転するテープガイドを兼ねた左右一対の回転保護部材とから構成され、該保護部材が２つの径の異なる半球の底面を向かい合わせ底周縁のフランジ部を一定間隔を空けて連結した構造であるとともに、前記円形切断刃の上部に、接着テープを手で押し下げて切断する際に指先が切断刃に到達しない間隔で配置したことを特徴とする粘着テープカッタ
【請求項２】
前記円形切断刃は、円形板の周縁に設けられた３６０度の刃先の略９０度分の円弧部分が前記支持部材の中央上面から突出していることを特徴とする請求項１記載の粘着テープカッタ
【請求項３】
前記円形切断刃は、切断に使用される略９０度の部分を移動変更できるように回転可能に装備されていることを特徴とする請求項１記載の粘着テープカッタ
【請求項４】
前記支持部材は、背面に前記円形切断刃を回転させるための回転つまみを、前記円形切断刃の中心と係合するように装着していることを特徴とする請求項１記載の粘着テープカッタ
【請求項５】
前記円形切断刃は、長期の使用による刃の切断機能の低下に伴い、使用箇所を回転させて刃先の切断部分を移動変更できるように、円形刃の適宜な箇所に目盛りを設けたことを特徴とする請求項１記載の粘着テープカッタ
【請求項６】
前記支持部材は、背面に円形切断刃に設けられた目盛りが簡単に目視できるような目盛り表示窓を設けたことを特徴とする請求項１記載の粘着テープカッタ
【発明の詳細な説明】
【技術分野】
【０００１】
本発明は、ロール状に巻かれた粘着テープを引き出して所要の長さに切断するための粘着テープカッタに関し、特に、切断刃として円形切断刃を使用した長期使用に耐える改良型の粘着テープカッタに関する。
【背景技術】
【０００２】
粘着テープカッタは、一般にロール状に巻かれた粘着テープを回転自在に保持するテープカッタ本体に粘着テープを切断するための鋸刃状の切断刃を備え、ロールから引き出された粘着テープを切断刃で所要の長さに切断する構成である。従来の粘着テープカッタは、切断刃がギザギザの鋸刃状であるため切れ味が悪く、切断したテープの切口が山型のぎざぎざした形状になるため、所定の場所にテープを貼り付けた場合に商品または貼着する物によっては体裁を損ねる等の欠点があった。従って、切断刃の切断端部の形状としては、剃刀の刃のように刃先が直線になっていて、切断端がギザギザにならない形状とすることが望ましい。ただし、このような切断刃を使用することは切れ味や切り口は直線できれいになるが取り扱い上は非常に危険であり、少し触れただけでも切れて怪我をする虞があるために、安全性の点では解決すべき問題が残されていた。
【０００３】
そこで、出願人の関連会社が上記問題を解決するための「粘着テープカッタ」（登録実用新案第３００９７４８号）を考案した。この考案は、剃刀のような直線の刃を装備しており、切れ口が直線でシャ−プであり、指を切らないように刃の上方に一対の保護部材が配設され、刃先をガードするようにした構成である。この考案により、直線型の切断刃を装備する事が可能になり、粘着テープの切断形状が直線となり、見栄えが良くなった。但し、切れ味の点で不満があったため，切断刃をやや斜めに傾斜させて装着したギロチン型の刃形構造を採用する事により、より切れ味の良い粘着テープカッタを提供する事ができた。しかし、上記粘着テープカッタにはさらに次のような欠点が存在している。
【０００４】
鋸刃状となっていない直線の切断刃で粘着テープを切断する場合、切断刃に垂直にテープを降ろすとテープがほぼ均等に切断刃に接するために却って最初の切り口が定まらずに均等に力がかかって切り難い状態となる。切断し易くするためにテープを斜めにするように自然と人間が粘着テープに捻りを加えて切断刃に当接するようにして切断する傾向にある。刃を傾斜させるギロチン刃形状のものを切れやすくする為の構造であるが、そのまま粘着テープを降ろせば構造に従って簡易に切断できるが、人によっては、ギロチン刃と平行に捻りを加えて切断しようとするために、逆に切れにくくなってしまうこともあった。また、切断回数を重ねることにより、刃の切れ味が鈍くなり、本来の切れ味にするために刃だけでなく切断刃機構ごと交換する必要があった。新しい切断刃を替えるためのコストを考えると経済効率は良くなかった。
そこで、この点について改良を加えて、上方からの均等な力や、左右どちらの捻りを加えても簡易に切断できる粘着テープカッタの開発をするに至った。
【特許文献１】実用新案登録第３００９７４８号公報
【発明の開示】
【発明が解決しようとする課題】
【０００５】
本件発明は、上記の問題を解決するための粘着テープカッタであって、切断刃を円形とし、切断する当接箇所を略９０度の円弧部分とすることにより、上方からテープが降りてきた場合は、中央から切断可能であり、また左右どちらからテープに捻りを加えても簡単に切れ口が出来て切断する事ができる粘着テープカッタを提供する事を目的としている。また、円形切断刃を回転可能とする構成としたために、一枚の円形刃を回転させて新しい部分を出して使えばいつでも本来の切れ味を保つことが可能な長期使用に耐える粘着テープカッタを提供する事を目的としている。
【課題を解決するための手段】
【０００６】
上記目的を達成するために本発明に係る粘着テープカッタは、テープカッタ本体にロール状に巻かれた粘着テープを回転自在に保持するテープ保持機構と、ロールから引き出された粘着テープを所要の位置で切断する切断機構と、該切断機構を保持する支持部材とからなる粘着テープカッタにおいて、
切断機構が、ロールから引き出された粘着テープの長手方向と直角に配置された粘着テープを切断する刃先を円形板の周縁に形成した円形切断刃と、該円形切断刃の上部にテープの長手方向と直交する方向に回転するテープガイドを兼ねた左右一対の回転保護部材とから構成され、該保護部材が２つの径の異なる半球の底面を向かい合わせ底周縁のフランジ部を一定間隔を空けて連結した構造であるとともに、前記円形切断刃の上部に、接着テープを手で押し下げて切断する際に指先が切断刃に到達しない間隔で配置した構成である。
【０００７】
また、前記円形切断刃は、円形板の周縁に設けられた３６０度の刃先の略９０度分の円弧部分が前記支持部材の中央上面から突出している構成である。前記円形切断刃は、円形板の周縁に設けられた３６０度の刃先の略９０度分の円弧部分が前記支持部材の中央上面から突出している構成である。前記支持部材は、背面に前記円形切断刃を回転させるための回転つまみを、前記円形切断刃の中心と係合するように装着している構成である。さらに、前記円形切断刃は、長期の使用による刃の切断機能の低下に伴い、使用箇所を回転させて刃先の切断部分を移動変更できるように、円形刃の適宜な箇所に目盛りを設けた構成である。また、前記支持部材は、背面に円形切断刃に設けられた目盛りが簡単に目視できるような目盛り表示窓を設けた構成である。
【発明の効果】
【０００８】
本発明に係る粘着テープカッタは上記詳述した通りの構成であるので、以下のような効果がある。
１．切断機構の切断刃を円形切断刃にしたことにより、上方かでも左右の捻じれによる力でも接着テープにどんな力の掛け方をしても、容易に一直線の綺麗な切断面及び切口を形成することができる。
２．円形切断刃の略９０度の円弧部分が支持部材の中央上面より突出した構成となっているため、どんな幅の接着テープも簡単に切断をすることができる。
３．また、円形切断刃を回転可能とすることにより、切れ味が悪くなっても円形切断刃を回転させて、切れ味の良い部分を使用することが可能であるので長期使用に耐え経済的である。
【０００９】
４．さらに、回転つまみを装備させることにより、簡便に円形切断刃を回転させて切断刃の位置を変更することが可能となり、長期使用に適した構造である。
５．円形切断刃の表面に目盛りを設ける事により、使用済み刃と未使用刃の区別が簡単にできる。
６．支持部材に表示窓を設けることにより、回転切断刃のどの部分を使用しているか一目で判る構造である。
【発明を実施するための最良の形態】
【００１０】
以下本発明にかかる粘着テープカッタを図面に示す実施例に基づいて詳細に説明する。図１は本発明の粘着テープカッタの斜視図であり、図２は粘着テープカッタの側面図であり、図３は粘着テープカッタの正面図である。また、図４は切断機構の正面図であり、図５は切断機構のＡ−Ａ断面図であり、第６図は切断機の分解斜視図である。
本発明の粘着テープカッタ１０は、保持機構２０と、切断機構３０と、切断機構の支持部材３６とからなる。
【００１１】
保持機構２０は、テープカッタ本体２２と、リール２４と、着脱孔２６とからなる。テープカッタ本体２２は、細長の直方体からなる粘着テープの収納および切断を兼ねたカッターボディであり、中央部の長手方向にテープ収納用の窪み２３が形成され、この窪み２３内に接着テープ１を多重に巻いたロール２を装着するためのリール２４が回転自在且つ着脱自在に取り付けられ、これらの窪み２３とリール２４により保持機構２０が構成されている。
また、テープカッタ本体２２の前端部に、ロール２から引き出された接着テープ１を所要の位置で切断するための切断機構３０が支持部材３６を介して設けられている。
【００１２】
リール２４は、接着テープ１を多重に巻いたロール２を装着するための円形嵌合体であり、異なる内径のロールに対応するために、中心部分は、小径軸部と大径円形部とに分割できる構成となっている。リールの大きさはこれに限定されるものではなく、異なる内径のロールにも対応させるリールを使用することが可能である。
着脱孔２６は、切断機構３０を着脱可能にテープカッタ本体２２に嵌装するための孔である。
【００１３】
切断機構３０は、円形切断刃３２と、保護部材３４と、回転つまみ４１とからなる。切断機構は、ロール２から引き出されたテープ１を適宜の個所で切断する部分である。円形切断刃３２は、円形板の外周縁の全てが切断刃として形成されており、支持部材３６の左右の支持アーム３７の間に配置される。円形切断刃は、円形板の周縁に設けられた３６０度の刃先の略９０度分の円弧部分が支持部材３６の中央上面３６ｃから突出している。また、円形切断刃３２の中心軸には回転つまみ４１と係合動作するように、三角形状若しくは四角形状等の中心孔３３が穿孔されている。なお、この実施例では、図６で示すような円形に凸部を３ヶ所つけた形状の中心孔３３が穿孔されている。さらに、この実施例では円形切断刃３２の表面に略４５度づつ目盛りが振られており、１〜８までの番号が振られている。これは、粘着テープを切断している箇所の円形刃の切れ味が悪くなった場合に、回転つまみ４１により円形切断刃３２を回転させ、違う目盛りの場所の刃を使用することにより切れ味の良い部分を使用することを可能とするためである。従来の水平式やギロチン式の切断刃で、切れ味が悪くなった際に新たな切断刃機構を購入するためのコストを削減して欠点を解消するものである。目盛りを振る角度や中心孔３３の形状は任意に設定することが可能である。
【００１４】
保護部材３４は、切断刃から指を保護するための２つの球状の回転部材であり、支持部材３６から上方に伸びる左右一対の支持アーム３７の上端部に接着テープ１の引き出し方向と直交する方向に回転する球体を取り付けた構成で、これら一対の保護部材間には、接着テープ１を円形切断刃３２に向けて押し下げ可能で且つ指先が円形切断刃３２に接触しない程度の保護可能な間隔が保たれている。また、一対の保護部材３４には、尖ったエッジを外周に持つ二つのフランジ部３５ａ、３５ｂが、前後に若干の間隔をおいて形成されている。
フランジ部３５ａ、３５ｂは、接着テープ１を押し下げて円形切断刃３２に押し付ける際に、接着テープ１が保護部材３４のフランジ部３５ａ、３５ｂ以外の部分に接触することのないように支持及びガイドするものであるが、フランジ部３５ａ、３５ｂの外周は尖ったエッジとなっているため、接着テープ１の粘着面がエッジに接触しても、その付着力は非常に小さく制限され不要に付着する事がない構成である。保護部材３４に複数のフランジ部を設ける事が可能となり、この結果これらフランジ部３５ａ、３５ｂによる接着テープ１の支持がより確実且つ安定的に行われる事になる。
【００１５】
支持部材３６は、分離自在に結合された前部３６ａ、後部３６ｂと、左右の支持アーム３７と、保持台３８と、嵌合部４０とからなる。図５で示すように指示部材の前部３６ａ、および後部３６ｂの間には円形切断刃３２が交換可能に保持されている。
前部３６ａには一対の保護部材３４を取り付ける支持アーム３７が形成されている。なお、この実施例では示してはいないが、円形切断刃３２のどの部分を使用しているか一目でわかるように、表示窓を形成する事も考えられる。
また、後部３６ｂには、切断した後の接着テープを粘着保持する保持台３８が形成されており、更に背部に回転つまみ４１を配置し、円形切断刃３２と係合することを可能にするように、係合孔３９が穿孔されている。後部３６ｂの下端には嵌入部４０が設けられており、テープカッタ本体２２の着脱孔２６に嵌合する形状に形成されており、着脱孔２６に簡単に着脱させる事が可能である。また、ストッパー等を形成し、使用状態では堅固に抜けないような構成とすることも可能である。
【００１６】
回転つまみ４１は、図５および図６の分解斜視図で示すとおり円形切断刃３２の中心孔３３と嵌合する突起４２と螺子等で接合されており、回転つまみ４１を回転させることにより、円形切断刃３２を回転させることが可能な構成である。この回転つまみ４１は、回動自在に構成することができるが、円形切断刃３２の目盛りに合わせて、若干回転に抵抗を持たせて、ダイヤル式スイッチのように各目盛りごとに位置合わせする構成とも可能である。
【００１７】
本件発明の粘着テープカッタの切断機構は、通常の水平若しくはギロチン式の切断刃ではなく円形切断刃を装備したことにより、接着テープを円形切断刃に垂直に降ろしても、左右どちらから捻りを加えて降ろしても、どんな切り方及び力のいれ方をしたとしても、すべての切断面及び切口が直線となり、簡単に切断できるだけでなく見栄えの良い切断面を得ることができる。また、円形切断刃とすることにより、切れ味が悪くなった際には、回転つまみを回して、円形切断刃のまだ使用していない別の外周の刃を使用することにより、通常の切断刃の寿命よりも遥かに長く使用することができる。また、保護部材を装備しているため、指等を怪我する心配もなく、安心して使用することができる。
【図面の簡単な説明】
【００１８】
【図１】本発明の粘着テープカッタの斜視図
【図２】粘着テープカッタの側面図
【図３】粘着テープカッタの正面図
【図４】切断機構の正面図
【図５】切断機構のＡ−Ａ断面図
【図６】切断機の分解斜視図
【符号の説明】
【００１９】
１      接着テープ
２      ロール
１０    粘着テープカッタ
２０    保持機構
２２    テープカッタ本体
２３    窪み
２４    リール
２６    着脱孔
３０    切断機構
３２    円形切断刃
３３    中心孔
３４    保護部材
３５、３５ａ、３５ｂ    フランジ部
３６    支持部材
３６ａ  前部支持部材
３６ｂ  後部支持部材
３６ｃ  中央上面
３７    支持アーム
３８    保持台
３９    係合孔
４０    嵌入部
４１    回転つまみ
４２    突起
【図１】
2005075560.tif 000003
【図２】
2005075560.tif 000004
【図３】
2005075560.tif 000005
【図４】
2005075560.tif 000006
【図５】
2005075560.tif 000007
【図６】
2005075560.tif 000008